(57)【要約】      （修正有）【課題】冷水筒、あるいは清涼飲料水やその他各種の液体を収容するための容器に関するもので、容器を横に寝かせたまま収納することができる液体容器を提供する。【解決手段】キャップ４に形成した栓体４ｂにパッキン６を装着し、キャップ４を開くと、パッキン６が蓋体２の注ぎ口５を開放して容器本体１内の液体が注出されるように構成する。また、キャップ４を閉じると、パッキン６が注ぎ口５を封鎖するように構成する。キャップ４に孔４ｅを形成し、この孔４ｅにロック部材７の先端上面に形成した突部が嵌まるように構成する。蓋体２の側面円弧状のガイド部３に沿ってキャップ４をスライドさせるだけで、蓋体２の注ぎ口５を開閉することができる。キャップ４を閉じるとロック部材７が跳ね上がり、ロック部材７の突部がキャップの孔４ｅに嵌まってキャップ４を自動的にロックすることができ、液漏れを防止できる。【選択図】図２
0003158740.tif 000002
【実用新案登録請求の範囲】
【請求項１】
蓋体の側面円弧状のガイド部に、このガイド部に沿ってスライドさせ得るキャップを取り付け、このキャップに形成した栓体にパッキンを装着し、前記キャップを開くと前記パッキンが前記蓋体の注ぎ口を開放して容器本体内の液体が注出されるように構成する一方、前記キャップを閉じると前記パッキンが前記注ぎ口を封鎖するように構成するとともに、前記ガイド部に設けたロック部材で前記キャップをロックし得るように構成したことを特徴とする液体容器。
【請求項２】
蓋体の側面円弧状のガイド部に連なってハンドルが形成され、このハンドルを握った状態で手指が届く範囲内に、ロック部材を配置しておくことを特徴とする請求項１記載の液体容器。
【請求項３】
ロック部材を側面円弧状のガイド部に対して起伏自在とし、起伏自在のこのロック部材の裏側に弾性体を配置したことを特徴とする請求項１又は２記載の液体容器。
【請求項４】
キャップに孔を形成し、この孔にロック部材の先端上面に形成した突部が嵌まるように構成したことを特徴とする請求項１又は３記載の液体容器。
【請求項５】
ガイド部の左右両側の一部とキャップの左右両側の一部とに、互いに係脱させ得る係合爪をそれぞれ形成し、両係合爪が互いに係合している状態では、キャップが蓋体の側面円弧状のガイド部に係合しており、キャップをスライドさせて両係合爪の係合が解除された状態になると、キャップを前記ガイド部から取り外し得るように構成したことを特徴とする請求項１記載の液体容器。
【考案の詳細な説明】
【技術分野】
【０００１】
本考案は、冷蔵庫に収納して液体を冷やすのに用いる冷水筒、あるいは清涼飲料水やその他各種の液体を収容するための容器に関するもので、さらに詳しくは、容器を横に寝かせたまま収納することもできるものに関する。
【背景技術】
【０００２】
容器本体の口部に取り付け得る蓋に注出蓋を摺動可能に、あるいは、揺動可能に取り付け、蓋の注出口を開閉させ得るようにした容器が提案されている（例えば、特許文献１、２参照）。
【０００３】
これらの場合には、栓体による注出口のシール性が不十分であるという欠点を有していると思われる。そこで、当該シール性をさらに高めるように工夫された容器も提案されている（例えば、特許文献３）。
【先行技術文献】
【特許文献】
【０００４】
【特許文献１】実開昭４８−９４４６６号公報
【０００５】
【特許文献２】特開２００１−１５１２５７号公報
【０００６】
【特許文献３】特開２００９−１３２４２１号公報
【考案の概要】
【考案が解決しようとする課題】
【０００７】
本考案の第一の目的は、このような形式の液体容器において、キャップを蓋体の側面円弧状のガイド部に沿ってスライドさせるだけで、蓋体の注ぎ口を開閉することができるようにするとともに、蓋体の注ぎ口を閉じるとロック部材でキャップをロックすることができ、容器を横に寝かせたまま収納することもできるようにすることにある。また、本考案の第二の目的は、片手でハンドルを握ったまま蓋体の注ぎ口を開閉することができるようにすることにある。また、本考案の第三の目的は、ロック部材の変形と疲労を防止し、そのロック機能を長年にわたって維持できるようにすることにある。さらに、本考案の第四の目的は、キャップを蓋体の側面円弧状のガイド部に沿ってスライドさせるだけで、前記ガイド部からキャップを容易に取り外すことができるようにすることにある。
【課題を解決するための手段】
【０００８】
第一の目的を達成するために、本考案では、蓋体の側面円弧状のガイド部に、このガイド部に沿ってスライドさせ得るキャップを取り付け、このキャップに形成した栓体にパッキンを装着し、前記キャップを開くと、前記パッキンが前記蓋体の注ぎ口を開放して容器本体内の液体が注出されるように構成する一方、前記キャップを閉じると、前記パッキンが前記注ぎ口を封鎖するように構成するとともに、前記ガイド部に設けたロック部材で前記キャップをロックし得るように構成する。
【０００９】
このようにした場合には、蓋体の側面円弧状のガイド部に沿ってキャップをスライドさせるだけで、蓋体の注ぎ口を開閉することができる。前記蓋体の注ぎ口を開いて容器本体を傾けると、容器本体内の液体を注出することができる。逆に、前記蓋体の注ぎ口を閉じると、ロック部材でキャップをロックすることができるので、液漏れを防止できる。従って、容器を横に寝かせたまま収納することもできる。
【００１０】
第二の目的を達成するためには、蓋体の側面円弧状のガイド部に連なってハンドルが形成され、このハンドルを握った状態で手指が届く範囲内に、ロック部材を配置しておくことが望ましい。このようにした場合には、ハンドルを握ったままでロックの係脱を行うことができるので、キャップによる注ぎ口の開閉を片手で行うことができる。
【００１１】
第三の目的を達成するためには、ロック部材を側面円弧状のガイド部に対して起伏自在とし、起伏自在のこのロック部材の裏側に弾性体を配置しておくと良い。このようにした場合には、比較的細いロック部材の変形と疲労を、特に、ロック部材が合成樹脂製でできている場合でもこのロック部材を前記弾性体で下から支えてその変形と疲労を、十分に防止することができるのみならず、そのロック機能を長年にわたって維持できる。
【００１２】
特に、キャップに孔を形成し、この孔にロック部材の先端上面に形成した突部が嵌まるように構成すると良い。このようにした場合には、キャップを閉じるとロック部材が跳ね上がり、ロック部材の突部がキャップの孔に嵌まってキャップを自動的にロックすることができるのみならず、ロック状態も強固である。
【００１３】
第四の目的を達成するためには、ガイド部の左右両側の一部とキャップの左右両側の一部とに、互いに係脱させ得る係合爪をそれぞれ形成し、両係合爪が互いに係合している状態では、キャップが蓋体の側面円弧状のガイド部に係合しており、キャップをスライドさせて両係合爪の係合が解除された状態になると、キャップを前記ガイド部から取り外し得るように構成しておくと良い。このようにした場合には、キャップを蓋体の側面円弧状のガイド部に沿ってスライドさせるという簡単な操作で、前記ガイド部からキャップを容易に取り外すことができるので、汚れ、茶渋等を洗浄しやすい。
【考案の効果】
【００１４】
請求項１記載の考案によれば、蓋体の側面円弧状のガイド部に沿ってキャップをスライドさせるという簡単な操作で、蓋体の注ぎ口を開閉することができる。蓋体の注ぎ口を開いて容器本体を傾けると、容器本体内の液体を注出することができ、逆に、蓋体の注ぎ口を閉じれば、ロック部材でキャップをロックすることができるので、液漏れを防止できる。従って、容器を横に寝かせたまま収納することもできる。
【００１５】
請求項２記載の考案によれば、ハンドルを握ったままでロックの係脱を行うことができるので、キャップによる注ぎ口の開閉をハンドルを握ったまま片手で行うことができる。
【００１６】
請求項３記載の考案によれば、比較的細いロック部材の変形と疲労を、特に、ロック部材が合成樹脂製でできている場合でもこのロック部材を前記弾性体で下から支えてその変形と疲労を、十分に防止することができるのみならず、当該ロック機能を長年にわたって維持できる。
【００１７】
請求項４記載の考案によれば、キャップを閉じるとロック部材が跳ね上がり、ロック部材の突部がキャップの孔に嵌まってキャップを自動的にロックすることができるのみならず、ロック状態も強固である。
【００１８】
請求項５記載の考案によれば、キャップを蓋体の側面円弧状のガイド部に沿ってスライドさせるという簡単な操作で、前記ガイド部からキャップを容易に取り外すことができるので、汚れ、茶渋等を洗浄しやすい。
【図面の簡単な説明】
【００１９】
【図１】蓋体の注ぎ口をキャップで閉じた状態を示す液体容器の縦断面図で、キャップをロックするためのロック部材の裏側に配置されているコイルばねを合わせて示す。
【図２】キャップをスライドさせて蓋体の注ぎ口を開いた状態を示す液体容器の縦断面図である。
【図３】キャップを取り外すことができる位置までスライドさせた状態を示す液体容器の縦断面図である。
【図４】図１〜図３に示す液体容器の要部を示す図で、(a)はそれに用いられているコイルばねからなる弾性体の一例を示す斜視図、(b)はこの弾性体を蓋体のガイド部へ装着した状態を示す平面図、(c)はその側面図、(d)はそれをさらに詳細に示す側面図である。
【図５】図１〜図３に示す液体容器に用いられている弾性体とは異なる板ばねからなる弾性体を用いた液体容器の要部を示す図で、(a)〜(c)はこの弾性体の一例を示す斜視図、(d)はこの弾性体を蓋体のガイド部へ装着した状態を示す平面図、(e)はその側面図、(f)はそれをさらに詳細に示す側面図である。
【図６】キャップのみの縦断面図である。
【考案を実施するための形態】
【００２０】
本考案を実施するための形態の一例を、図面に基づいて詳細に説明する。図１〜図３に示すように、本考案による液体容器は、口部が真円形の有底の容器本体１とこの容器本体１の口部に螺着される蓋体２とからなっている。この蓋体２の頂部は閉じられており、その一部が開口されていて注ぎ口５として利用される。この注ぎ口５の左右両側を塞ぐように所定の幅で立ち上がり、それに連なって所定の幅を有する側面円弧状のガイド部３が蓋体２の上部に形成されている。そして、このガイド部３の上面にはそれに沿ってスライドさせ得るキャップ４を取り付けてある。ここでは、容器本体１の真円形の口部外周面に形成した雄ねじに、蓋体２の真円形の筒部内周面に形成した雌ねじを螺合させることによって、容器本体１の口部に蓋体２が螺着された場合を例示してある。図１〜図３においては、容器本体１の上部のみを現わし、底側は全て省略して示す。
【００２１】
なお、容器本体１と蓋体２は合成樹脂製とすることができる。また、容器本体１はその口部を含む全体を有底の円筒形としてもよいし、口部付近のみを円筒形とし、それ以外の部分を楕円形やその他様々な形状にすることもできる。
【００２２】
前記ガイド部３の幅でそれに連なるように、前上がり傾斜の嘴部２ａが前方に向けて突出させてあり、この嘴部２ａに連なる前記蓋体２内の閉鎖壁２ｂには、上下に貫通する注ぎ口５が形成されている。なお、この注ぎ口５は前記容器本体１の口部内の上方に位置させてあり、当該口部を介して注ぎ口５と容器本体１の内部とが連通している。
【００２３】
前記キャップ４は、その先端部４ａ付近を除いて前記蓋体２の側面円弧状のガイド部３と同じ側面円弧状であり、前記先端部４ａ付近はほぼ水平状としてあり、この水平状の部分で前記蓋体２の嘴部２ａの上方を覆うことができる。そして、この水平状の部分からキャップ４の側面円弧形状が始まる付近に、前記注ぎ口５と同じ形状でほぼ同じ大きさの栓体４ｂが垂下形成され、この栓体４ｂには縦断面略Ｕ字状のパッキン６が下側から装着されている。
【００２４】
キャップ４を閉じると、前記パッキン６が前記注ぎ口５を封鎖するように構成されている。図１に、パッキン６で前記注ぎ口５が封鎖された状態を示す。そして、前記ガイド部３にロック部材７が設けられ、キャップ４を閉じると同時にこのロック部材７で前記キャップ４をロックし得るように構成されている。従って、注ぎ口５がパッキン６で封鎖された状態が保持され、液漏れを防止できるので、容器本体１を横に寝かせたまま収納することもできる。
【００２５】
キャップ４のロック状態を解除するとともに、キャップ４を側面円弧状のガイド部３に沿って図１の右側にスライドさせると、図２に示すように、前記パッキン６が持ち上げられて前記蓋体２の注ぎ口５を開放するので、容器本体１を傾けることにより容器本体１内の液体を注出することができる。
なお、図２、図３に示すように、前記パッキン６の下隅コーナー部分を全体にわたって段付きとし、その段部６ａが図１に示すように前記注ぎ口５の上隅開口縁部に全体にわたって食い込むようにすると、パッキン６による前記注ぎ口５の封鎖をより強固なものとすることができる。
【００２６】
蓋体２の側面円弧状のガイド部３に沿ってキャップ４をスライドさせ得るようにするために、ここでは、所定の幅を有する側面円弧状のガイド部３の左右両側を一段低くして側面円弧状のガイド面３ａとし、このガイド面３ａの上面とガイド部３の左右両側面とに沿ってキャップ４の左右両側の側壁４ｃ、４ｃをスライドさせることができるように構成されている。このように構成することにより、ガイド部３に沿ってキャップ４をスライドさせる部分である可動部のパーツ、構成パーツを極力少なくすることができるので、可動部の誤動作を避けることができる。
【００２７】
また、図４(c)、図５(c)、図６に示すように、前記ガイド部３の左右両側の一部とキャップ４の左右両側の一部とに、互いに係脱させ得る前後２つの係合爪３ｂ、４ｄをそれぞれ形成し、両係合爪３ｂ、４ｄが互いに係合している状態では、キャップ４が蓋体２の側面円弧状のガイド部３に係合しており、キャップ４をスライドさせて両係合爪３ｂ、４ｄの係合が解除された状態になると、キャップ４を前記ガイド部３から取り外し得るように構成されている。なお、図３に、キャップ４を図面右側一杯までスライドさせた状態を示す。この状態になると、キャップ４を前記ガイド部３から取り外すことができる。
【００２８】
前記ガイド部３に設けられているロック部材７は、所定の幅を有するガイド部３の側面円弧状の上面内に嵌め込み得る側面円弧状の板部材７ａから作製することができ、その一部を切り起すことにより起伏自在とすることができる。そして、このロック部材７を有する板部材７ａを、所定の幅を有するガイド部３の側面円弧状の上面内に嵌め込むことによって、前記ガイド部３にロック部材７を組み込むことができる。
【００２９】
なお、板部材７ａをガイド部３の側面円弧状の上面内に嵌め込むに当って、ここでは、図４(b)及び図５(d)に示すように、板部材７ａの左右両側に前後２つの突片７ｂ、７ｂを形成しておき、各突片７ｂ、７ｂを側面円弧状の前記ガイド部３の左右両壁部に形成した孔３ｃ、３ｃにそれぞれ嵌入する場合が例示されている。
【００３０】
前記ガイド部３にロック部材７を組み込む場合において、ここでは、図４(b)において符号８で、また、図５(d)において符号９で示すように、ロック部材７の裏側に弾性体を配置してある。このようにした場合には、比較的細いロック部材７の変形と疲労を、特に、ロック部材７が合成樹脂製でできている場合でもこのロック部材７を前記弾性体で下から支えてその変形と疲労を、十分に防止することができるのみならず、そのロック機能を長年にわたって維持できる。また、前記ガイド部３に沿ってキャップ４をスライドさせる部分である可動部の取り外しなどによるパーツの破損を合わせて防止することができる。
【００３１】
この弾性体としては、図４(a)において符号８で示すコイルばねや、図５(a)〜(c)において符号９で示す板ばねを採用することができる。
図４(a)に示すコイルばね８は、コイル状に巻かれたばねの上端に前記ロック部材７の先端を支える支持部８ａが形成され、また、下端側にはその軸芯から遠ざかるように延び出させた先端に係止部８ｂが形成されている。
一方、図５に示す板ばね９としては、同図(a)に示すように板状の受部９ａから弾性片９ｂを折り返して突出させたもの、同図(b)に示すように板状の受部９ａから弾性片９ｂを延び出させてその先端側を折り曲げたもの、あるいは、同図(c)に示すように板状の受部９ａから弾性片９ｂを延び出させてその先端側をカールさせたものなどを採用することができる。
【００３２】
ロック部材７の裏側に図４(a)に示すコイルばね８を配置するに当っては、図４(d)に示すように、コイルばね８の支持部８ａをロック部材７の先端裏面に形成されている凹嵌部７ｃに嵌め込むとともに、他端側の係止部８ｂを図４(b)に示すように前記ガイド部３の側面円弧状の上面内に形成した突起３ｄに引っ掛ける。なお、図４(b)において、ロック部材７は基端の一部のみを実線で表わし、それより先側は鎖線で示してその下に位置するコイルばね８が見えるように示す。
【００３３】
また、ロック部材７の裏側に図５(a)〜(c)に示す板ばね９を配置するに当っては、図５(f)に示すように、板ばね９の弾性片９ｂをロック部材７の先端裏面に形成されている凹嵌部７ｃに嵌め込むとともに、図５(d)に示すように、板ばね９の受部９ａを前記ガイド部３の側面円弧状の上面に沿わせつつ、受部９ａに形成されている孔９ｃを前記ガイド部３の側面円弧状の上面内に形成した突起３ｅに引っ掛ける。なお、図５(d)において、ロック部材７は基端の一部のみを実線で表わし、それより先側は鎖線で示してその下に位置する板ばね９が見えるように示す。
【００３４】
このように、前記蓋体２のガイド部３に組み込まれているロック部材７は、コイルばね８あるいは板ばね９により支えられているが、このロック部材７の配置場所を次のように定めるのが望ましい。すなわち、蓋体２の側面円弧状のガイド部３に連なってハンドル１０を後側（図１〜図３の右側）に側面円弧状に延長し、延長されたこのハンドル１０を握った状態で手指が届く範囲内に、前記ロック部材７を配置しておくことが望ましい。
このようにした場合には、ハンドル１０を握ったままでロックの係脱を行うことができるので、キャップ４による注ぎ口５の開閉をハンドル１０を握ったまま片手で行うことができる。
【００３５】
そして、図６に示すように、前記キャップ４に孔４ｅを形成し、この孔４ｅにロック部材７の先端上面に形成した突部７ｄ〔図４(d)、図５(f)参照〕が嵌まるように構成すると良い。このようにした場合には、キャップ４を閉じるとロック部材７が跳ね上がり、ロック部材７の突部７ｄがキャップ４の孔４ｅに嵌まってキャップ４を自動的にロックすることができるのみならず、ロック状態も強固なものとなる。
【００３６】
この場合において、ハンドル１０を握った状態で手指の先で突部７ｄを孔４ｅ内に押し込めば、前記ロック状態を解除することができる。その後、キャップ４を側面円弧状のガイド部３に沿ってスライドさせ、図２の状態にすれば、上述したように容器本体１内の液体を注出することができる。図２の状態からキャップ４を側面円弧状のガイド部３に沿ってさらにスライドさせれば、上述したようにキャップ４を前記ガイド部３から取り外すことができる。
なお、キャップ４の前記孔４ｅに近接する後側（図１のすぐ右側）に指掛部４ｆを形成しておけば、キャップ４を側面円弧状のガイド部３に沿ってスライドさせやすい。
【００３７】
キャップ４の色とロック部材７の少なくとも突部７ｄの色とを異ならしめておけば、ロック状況も目で確認できるのみならず、操作ポイントも簡単に認識できる。また、ハンドル１０あるいは蓋体２のガイド部３の後部に、「ロック」、「そそぐ」の文字とその方向を示す矢印や、「つける」、「はずす」の文字とその方向を示す矢印を表わす表示ラベルを貼付しておけば、キャップ４の動かす方向、状況を視覚的に訴えることができる。
【００３８】
このように、本考案による液体容器は、キャップを蓋体の側面円弧状のガイド部に沿ってスライドさせるだけで、蓋体の注ぎ口を開閉することができるとともに、蓋体の注ぎ口を閉じるとロック部材でキャップをロックすることができる極めて便利なものである。従って、容器を横に寝かせたまま収納することもできる。また、ハンドルを握ったまま片手で蓋体の注ぎ口を開閉することができるので、操作が簡単である。また、ロック部材の変形と疲労を防止し、そのロック機能を長年にわたって維持できるので、耐久性に優れている。さらに、キャップを蓋体の側面円弧状のガイド部に沿ってスライドさせるだけで、ガイド部からキャップを容易に取り外すことができるので、洗浄しやすいものである。
【産業上の利用可能性】
【００３９】
本考案は、冷蔵庫に収納して液体を冷やすのに用いる冷水筒のみならず、清涼飲料水やその他各種の液体を収納する容器に適用可能である。
【符号の説明】
【００４０】
１…容器本体、２…蓋体、３…ガイド部、３ｂ…係合爪、４…キャップ、４ｂ…栓体、４ｄ…係合爪、４ｅ…孔、５…注ぎ口、６…パッキン、７…ロック部材、７ｄ…突部、８…コイルばね、９…板ばね、１０…ハンドル。
【図１】
0003158740.tif 000003
【図２】
0003158740.tif 000004
【図３】
0003158740.tif 000005
【図４】
0003158740.tif 000006
【図５】
0003158740.tif 000007
【図６】
0003158740.tif 000008